(57)【要約】【課題】大形寸法の筒形ヒューズを小形寸法の筒形ヒューズに取り替え装着するためのヒューズ保持用アダプタ装着ツールの提供。【解決手段】矩形状の厚さ１０〜１５ｍｍの絶縁材の下端に所定の間隔で３箇所の金属金具を埋込んで一体成型してなる保持体とこの保持体の前記３箇所の位置の左右にステンレス鋼板等からなる略コ字状の挟持金具その中間の位置に小形寸法の筒形ヒューズの筒中央部を挟持できるような弾性を有する金属からなるクリップをねじで固定してなる。【選択図】図６
2006351498.tif 000002
【特許請求の範囲】
【請求項１】
矩形状の厚さ１０〜１５ｍｍの絶縁材の下端に所定の間隔で３箇所の金属金具を埋込んで一体成型してなる保持体とこの保持体の３箇所の位置の左右にステンレス鋼板等からなる略コ字状の挟持金具とその中間の位置に小形寸法の筒形ヒューズの筒中央部を挟持できるような弾性を有する金属からなるクリップをねじで固定したことを特徴とするヒューズ保持用アダプタ装着ツール。
【発明の詳細な説明】
【技術分野】
【０００１】本発明は、配電用電気回路内に保持されている大形寸法の筒形ヒュースを小形寸法の筒形ヒューズを小形寸法の筒形ヒューズに取り替え可能にしたヒューズ保持用アダプタ装着ツールに関する。
【背景技術】
【０００２】一般に電動機、ランプ、その他の電気回路を有する電気機器は図１のように安全装置として取り替え可能な筒形ヒューズＦを用いており、この筒形ヒューズＦは円筒状の絶縁筒Ｆ１と左右の金属キヤップＦ２、Ｆ３で構成された比較的大形寸法のものが主流となっていた。【０００３】そしてこの筒形ヒューズＦは図２のような絶縁台上に前記の筒形ヒューズＦの左右の金属キャップＦ２、Ｆ３が装着できかつ十分な接触部を有する一対のクリップＧ１Ｇ２を固定したヒューズホルダＨを使用して通電されていた。【０００４】このような既設の配電用設備において、昨今では設備の安全性、信頼性の持続等を配慮して一定の期間を周期として取り替え作業を繰返すようなサービスが常となっている。このためメンテナンス動向として既設の大形寸法の筒形ヒューズと同じ電気的性能を有する小形寸法の筒形ヒューズへ置き換え移行が活発に行われてきている現状である。【０００５】この置き換え移行の最大の理由としては、既設の配電用設備に使用の大形寸法の筒形ヒューズは小形のものに比べコストが高く設備全体のヒューズ使用量から換算して見た場合少なくとも１／２〜１／３大幅なコストダウンが図れる。
実際において、この置き換え移行の一例としては設備的には従来の大形寸法の筒形ヒューズの装着しているヒューズホルダに図３のような小形寸法の筒形ヒューズｆを保持させたヒューズ保持用アダプタＡが開発されている。
【発明の開示】
【発明が解決しようとする課題】
【０００６】しかし、小形寸法の筒形ヒューズを装着したヒューズ保持用アダプタは既設の大形の筒形ヒューズのヒューズホルダに装着するには次のような問題がある。
（１）ヒューズ保持用アダプタを装着する時、素手で取付けなければならず安全上好ましくない。
（２）ヒューズ保持用アダプタに装着の小形寸法の筒形ヒューズが曲がり易く直線性がでない。
（３）ワンタッチで装着ができないためメンテナンスの作業性が悪い。【０００７】本発明は、上述したこれらの問題を除去するためになされたものであり、大形寸法の筒形ヒューズと同じ性能、特性を有する小形寸法の筒形ヒューズをセットしたヒューズ保持用アダプタを容易にかつ迅速確実にワンタッチで装着するためのツールの提供を目的とする。
【課題を解決するための手段】
【０００８】上記目的を達成するために本発明においては、矩形状の厚さ１０〜１５  ｍｍの絶縁材の下端に所定の間隔で３箇所の金属金具を埋込んで一体成型してなる保持体とこの保持体の３箇所のいちの左右にステンレス鋼板等からなる略コ字状の挟持金具とその中間の位置に小形寸法の筒形ヒューズの筒中央部を挟持できるような弾性を有する金属からなるクリップをねじで固定したヒューズ保持用アダプタ装着ツールである。
【発明の効果】
【０００９】上述したように、本発明のヒューズ保持用アダプタ装着ツールによればその構成から明確なように既設の大形寸法の筒形ヒューズを装着していた箇所に容易にかつ安全な状態で小形寸法の筒形ヒューズを持つヒューズ保持用アダプタを装着できる。
また、小形寸法の筒形ヒューズの位置ずれ及び曲がり等は直線状に並んだコ字状の挟持金具及びクリップにより位置決めされることから確実に装着できる。【００１０】また、ツール本体の材質が絶縁成型体から形成されるていることから、小型、軽量でかつ、取扱いも簡単であり、作業中においても直接金属接触部に手が触れることがなく保守、点検上、極めて安全性の高いツールの提供が可能となる。
【発明を実施するための最良の形態】
【実施例】
【００１１】以下、本発明の一実施例を図４〜図７に基づき詳細に説明すると次のようである。図４のように、矩形状の厚さ１０〜１５ｍｍの例えばフェノール樹脂等で、下端に所定の間隔で螺装した金属金具１ａ、１ｂ、１ｃを予め埋込んだ一体成型した保体持を用いる。【００１２】図５は前図４の保持体１の下端に固定する螺装した金属金具１ａ、１ｂ、１ｃ上に載置して固定するステンレス鋼板を折り曲げ加工した略コ字状の挟持金具２とりん青銅からなるクリップ３である。【００１３】図６は前図５の挟持金具２とクリップ３を前々図４の保持体１の下端に埋込んだ螺装した金属金具１ａ、１ｂ、１ｃ上に裁置した状態でねじ４で固定して完成させる。【００１４】以上のようにして完成したヒューズ保持用アダプタ装着ツールは図７（イ）、（ロ）（ハ）、（ニ）の手順で用いられる。
すなわち（イ）のように、ヒューズ保持用アダプタＡに装着保持された状態の小形の筒形ヒューズｆのキャップｆ１、ｆ２を挟持しているクリップｄ１、ｄ２にこの装着ツールの両方の挟持金具２を合致させてこれを押し込むことにより前記の小形の筒形ヒューズ保持用アダプタＡに装着されている小形ヒューズｆの筒中央部ｆがクリップ３に挟持係止される。
これにより（ロ）のように装着ツールとヒューズ保持用アダプタＡが一体に係止保持可能となり装着ツールを上下にしても外れたり落下することはない。
次に（ハ）のように既設の大形の筒形ヒューズのヒューズホルダＨのクリップＧ１Ｇ２に、本発明のヒューズ保持用アダプタ装着ツールにセットされたヒューズ保持用アダプタＡの左右の端子部Ａ１、Ａ２を当接し押し込むことにより装着できる。その後、（ニ）のように装着ツールだけを引き抜けばよい。
【産業上の利用可能性】
【００１５】本発明は、ヒューズ保持用アダプタ装着ツールを製造する産業で利用される。
【図面の簡単な説明】
【００１６】
【図１】従来の大形寸法の筒形ヒューズを示す斜視図
【図２】従来の大形寸法の筒形ヒューズ用ホルダを示す斜視図
【図３】小形寸法の筒形ヒューズを装着したヒューズ保持用アダプタの斜視図
【図４】本発明のヒューズ保持用アダプタ装着ツールの保持体の斜視図
【図５】本発明のヒューズ保持用アダプタ装着ツールの金具類の斜視図
【図６】本発明のヒューズ保持用アダプタ装着ツールの完成品を示す斜視図
【図７】本発明のヒューズ保持用アダプタ装着ツールの使用手順の説明図
【符号の説明】
【００１７】１  保持体    ２  コ字状挟持金具    ３  クリップ    ４  ねじ
【図１】
2006351498.tif 000003
【図２】
2006351498.tif 000004
【図３】
2006351498.tif 000005
【図４】
2006351498.tif 000006
【図５】
2006351498.tif 000007
【図６】
2006351498.tif 000008
【図７】
2006351498.tif 000009